(57)【要約】【課題】溶接エネルギーを低減し、溶接に起因する品質低下を抑制する。【解決手段】金メッキされたコバール製の基台（１）に、金メッキされたコバール製の波長変換結晶ホルダ（２）およびレンズホルダ（４，６）をスポット溶接するが、その溶接箇所（Ｅ〜Ｐ）は、金メッキしない非メッキ部（１ｅ〜１ｐ，２ｅ〜２ｈ，４ｉ〜４ｋ，６ｍ〜６ｐ）とする。【効果】非メッキ部ではコバールが露出しており、赤外線の反射率が金メッキに比べて低くなるため、金メッキのまま溶接する場合に比べて溶接エネルギーを低減できる。金メッキのまま溶接する場合に比べて大きな溶接エネルギーを加えないため、波長変換結晶やレンズが高温になったり、スパッタの飛散で汚染されることがなく、品質低下を抑制できる。非メッキ部以外は金メッキされているため、腐食防止効果の低減もほとんど無い。【選択図】図１
2011138055.tif 000002
【特許請求の範囲】
【請求項１】
非金属材料製光学部品と、前記非金属材料製光学部品を保持するための金属製保持部材と、前記金属製保持部材が溶接される金属製基台とを有する光学装置であって、前記金属製保持部材と前記金属製基台とは金メッキされているが、両者を溶接する溶接箇所は金メッキされていないことを特徴とする光学装置。
【請求項２】
請求項１に記載の光学装置において、前記非金属材料製光学部品が、波長変換結晶（３）およびレンズ（５，７）であり、前記金属製保持部材が、波長変換結晶ホルダ（２）およびレンズホルダ（４，６）であり、前記金属製保持部材（２，４，６）と前記金属製基台（１）とは金メッキされているが、両者を溶接する溶接箇所（１ｅ，１ｆ，１ｇ，１ｈ，１ｉ，１ｊ，１ｋ，１ｍ，１ｎ，１ｐ，２ｅ，２ｆ，２ｇ，２ｈ，４ｉ，４ｊ，４ｋ，６ｍ，６ｎ，６ｐ）は金メッキされていないことを特徴とする光学装置（１００）。
【発明の詳細な説明】
【技術分野】
【０００１】
本発明は、光学装置に関し、さらに詳しくは、溶接エネルギーを低減できると共に溶接に起因する品質低下を抑制できる光学装置に関する。
【背景技術】
【０００２】
従来、非金属材料（例えば非線形光学結晶やガラス）製光学部品を含む光学装置では、非金属材料製光学部品を保持する金属（例えばコバール）製保持部材を金属製基台に溶接して固定している。また、腐食防止の観点から金属製保持部材や金属製基台には金メッキを施している（例えば、特許文献１、特許文献２参照。）。
【先行技術文献】
【特許文献】
【０００３】
【特許文献１】特開２００４−２３３８８５号公報
【特許文献２】特開２００９−１４５８８７号公報
【発明の概要】
【発明が解決しようとする課題】
【０００４】
従来の光学装置では、金属製保持部材と金属製基台の溶接箇所にも金メッキが施されていた。
しかし、金メッキは、ＹＡＧ溶接に代表される赤外線の反射率が９８％以上と高いため、大きな溶接エネルギーを要する問題点があった。また、大きな溶接エネルギーを加えることで、非金属材料製光学部品が高温になったり、スパッタが飛散するなどし、品質低下を招く問題点があった。
そこで、本発明の目的は、溶接エネルギーを低減できると共に溶接に起因する品質低下を抑制できる光学装置を提供することにある。
【課題を解決するための手段】
【０００５】
第１の観点では、本発明は、非金属材料製光学部品と、前記非金属材料製光学部品を保持するための金属製保持部材と、前記金属製保持部材が溶接される金属製基台とを有する光学装置であって、前記金属製保持部材と前記金属製基台とは金メッキされているが、両者を溶接する溶接箇所は金メッキされていないことを特徴とする光学装置を提供する。
上記第１の観点による光学装置では、金属製保持部材と金属製基台とは金メッキされているが、両者を溶接する溶接箇所は金メッキされていない。従って、溶接箇所における赤外線の反射率が金メッキに比べて低くなるため、金メッキのまま溶接する場合に比べて溶接エネルギーを低減することが出来る。また、金メッキのまま溶接する場合に比べて大きな溶接エネルギーを加えないため、溶接に起因する品質低下を抑制することが出来る。なお、溶接箇所以外は金メッキされているため、腐食防止効果の低減もほとんど無い。
【０００６】
第２の観点では、本発明は、前記第１の観点による光学装置において、前記非金属材料製光学部品が、波長変換結晶（３）およびレンズ（５，７）であり、前記金属製保持部材が、波長変換結晶ホルダ（２）およびレンズホルダ（４，６）であり、前記金属製保持部材（２，４，６）と前記金属製基台（１）とは金メッキされているが、両者を溶接する溶接箇所（１ｅ，１ｆ，１ｇ，１ｈ，１ｉ，１ｊ，１ｋ，１ｍ，１ｎ，１ｐ，２ｅ，２ｆ，２ｇ，２ｈ，４ｉ，４ｊ，４ｋ，６ｍ，６ｎ，６ｐ）は金メッキされていないことを特徴とする光学装置（１００）を提供する。
上記第２の観点による光学装置（１００）では、溶接箇所（１ｅ，１ｆ，１ｇ，１ｈ，１ｉ，１ｊ，１ｋ，１ｍ，１ｎ，１ｐ，２ｅ，２ｆ，２ｇ，２ｈ，４ｉ，４ｊ，４ｋ，６ｍ，６ｎ，６ｐ）における赤外線の反射率が金メッキに比べて低くなるため、金メッキのまま溶接する場合に比べて溶接エネルギーを低減することが出来る。また、金メッキのまま溶接する場合に比べて大きな溶接エネルギーを加えないため、波長変換結晶（３）およびレンズ（５，７）が高温になったり、スパッタの飛散で汚染されることがなく、品質低下を抑制することが出来る。なお、溶接箇所以外は金メッキされているため、腐食防止効果の低減もほとんど無い。
【発明の効果】
【０００７】
本発明の光学装置によれば、溶接箇所における赤外線の反射率が金メッキに比べて低くなるため、金メッキのまま溶接する場合に比べて溶接エネルギーを低減することが出来る。また、金メッキのまま溶接する場合に比べて大きな溶接エネルギーを加えないため、溶接に起因する品質低下を抑制することが出来る。なお、溶接箇所以外は金メッキされているため、腐食防止効果の低減もほとんど無い。
【図面の簡単な説明】
【０００８】
【図１】実施例１に係る波長変換装置を示す正面図である。
【図２】実施例１に係る波長変換装置を示す上面図である。
【図３】実施例１に係る波長変換装置を示す右側面図である。
【図４】実施例１に係る波長変換装置を示す左側面図である。
【図５】実施例１に係る基台を示す上面図である。
【図６】実施例１に係る基台を示す正面図である。
【図７】実施例１に係る基台を示す右側面図である。
【図８】実施例１に係る基台を示す左側面図である。
【図９】実施例１に係る波長変換結晶ホルダを示す六面図である。
【図１０】実施例１に係るレンズホルダを示す六面図である。
【発明を実施するための形態】
【０００９】
以下、図に示す実施例により本発明をさらに詳細に説明する。なお、これにより本発明が限定されるものではない。
【実施例】
【００１０】
−実施例１−
図１は、実施例１に係る波長変換装置１００を示す正面部分断面図である。図２は、同上面図である。図３は、同右側面図である。図４は、同左側面図である。
この波長変換装置１００は、例えばＫＴＰ製の波長変換結晶３と、波長変換結晶３を保持するためのコバール製の波長変換結晶ホルダ２と、例えば石英製のレンズ５，７と、レンズ５を保持するためのコバール製のレンズホルダ４と、レンズ７を保持するためのコバール製のレンズホルダ６と、波長変換結晶ホルダ２とレンズホルダ４とレンズホルダ６とが溶接されているコバール製の基台１とを具備している。
【００１１】
波長変換結晶ホルダ２の前壁外面２ａと基台１の底上面１ａは、溶接部Ｅ，Ｆでスポット溶接されている。
波長変換結晶ホルダ２の天上面２ｂと基台１の背壁内面１ｂは、溶接部Ｇ，Ｈでスポット溶接されている。
【００１２】
レンズホルダ４の外周面４ａと基台１の右壁外面１ｃは、溶接部Ｉ，Ｊ，Ｋでスポット溶接されている。
【００１３】
レンズホルダ６の外周面６ａと基台１の左壁外面１ｄは、溶接部Ｍ，Ｎ，Ｐでスポット溶接されている。
【００１４】
図５に示すように、溶接部Ｅ，Ｆに対応する基台１の底上面１ａの部分には非メッキ部１ｅ，１ｆが形成されている。
図６に示すように、溶接部Ｇ，Ｈに対応する基台１の背壁内面１ｂの部分には非メッキ部１ｇ，１ｈが設けられている。
図７に示すように、溶接部Ｉ，Ｊ，Ｋに対応する基台１の右壁外面１ｃの部分には非メッキ部１ｉ，１ｊ，１ｋが設けられている。
図８に示すように、溶接部Ｍ，Ｎ，Ｐに対応する基台１の左壁外面１ｄの部分には非メッキ部１ｍ，１ｎ，１ｐが設けられている。
非メッキ部１ｅ，１ｆ，１ｇ，１ｈ，１ｉ，１ｊ，１ｋ，１ｍ，１ｎ，１ｐ以外の基台１の表面は、金メッキされている。
【００１５】
非メッキ部１ｅ，１ｆ，１ｇ，１ｈ，１ｉ，１ｊ，１ｋ，１ｍ，１ｎ，１ｐとなる部分をマスキングして基台１を金メッキすることにより、非メッキ部１ｅ，１ｆ，１ｇ，１ｈ，１ｉ，１ｊ，１ｋ，１ｍ，１ｎ，１ｐを形成できる。
あるいは、基台１を金メッキした後、非メッキ部１ｅ，１ｆ，１ｇ，１ｈ，１ｉ，１ｊ，１ｋ，１ｍ，１ｎ，１ｐとなる部分の金メッキを削り取ることにより、非メッキ部１ｅ，１ｆ，１ｇ，１ｈ，１ｉ，１ｊ，１ｋ，１ｍ，１ｎ，１ｐを形成することが出来る。
【００１６】
図９の正面図（ｂ）および底面図（ｆ）に示すように、溶接部Ｅ，Ｆに対応する波長変換結晶ホルダ２の前壁外面２ａの部分および前壁底面２ｃの部分には、非メッキ部２ｅ，２ｆが形成されている。
【００１７】
図９の上面図（ａ）および背面図（ｅ）に示すように、溶接部Ｇ，Ｈに対応する波長変換結晶ホルダ２の天上面２ｂの部分および天背面２ｄの部分には、非メッキ部２ｇ，２ｈが形成されている。
【００１８】
非メッキ部２ｅ，２ｆ，２ｇ，２ｈとなる部分をマスキングして波長変換結晶ホルダ２を金メッキすることにより、非メッキ部２ｅ，２ｆ，２ｇ，２ｈを形成することが出来る。
あるいは、波長変換結晶ホルダ２を金メッキした後、非メッキ部２ｅ，２ｆ，２ｇ，２ｈとなる部分の金メッキを削り取ることにより、非メッキ部２ｅ，２ｆ，２ｇ，２ｈを形成できる。
【００１９】
図１０の上面図（ａ）、正面図（ｂ）、左側面図（ｄ）、背面図（ｅ）及び底面図（ｆ）に示すように、溶接部Ｉ，Ｊ，Ｋに対応するレンズホルダ４の外周面４ａの部分および左側面４ｂの部分には、非メッキ部４ｉ，４ｊ，４ｋが形成されている。
【００２０】
非メッキ部４ｉ，４ｊ，４ｋとなる部分をマスキングしてレンズホルダ４を金メッキすることにより、非メッキ部４ｉ，４ｊ，４ｋを形成できる。
あるいは、レンズホルダ４を金メッキした後、非メッキ部４ｉ，４ｊ，４ｋとなる部分の金メッキを削り取ることにより、非メッキ部４ｉ，４ｊ，４ｋを形成することが出来る。
【００２１】
レンズホルダ６も、レンズホルダ４と同様の構成である。
【００２２】
基台１の底上面１ａと背壁内面１ｂの角に波長変換結晶３を当て、図示せぬバネを挟んで、波長変換結晶ホルダ２を基台１の底上面１ａと背壁内面１ｂとに押し当て、溶接部Ｅ，Ｆ，Ｇ，Ｈをスポット溶接する。
また、基台１の右壁外面１ｃに、レンズ５を保持したレンズホルダ４を押し当て、溶接部Ｉ，Ｊ，Ｋをスポット溶接する。
また、基台１の左壁外面１ｄに、レンズ７を保持したレンズホルダ６を押し当て、溶接部Ｍ，Ｎ，Ｐをスポット溶接する。
以上により、波長変換装置１００を製造できる。
【００２３】
波長変換装置１００は、図示せぬ気密封止パッケージに収容され、基本波レーザ光を入力され、第二高調波光を出力する用途に使用される。
【００２４】
実施例１に係る光学装置１００によれば次の効果が得られる。
（１）非メッキ部１ｅ，１ｆ，１ｇ，１ｈ，１ｉ，１ｊ，１ｋ，１ｍ，１ｎ，１ｐ，２ｅ，２ｆ，２ｇ，２ｈ，４ｉ，４ｊ，４ｋ，６ｍ，６ｎ，６ｐではコバールが露出しており、赤外線の反射率が金メッキに比べて低くなるため、金メッキのまま溶接する場合に比べて溶接エネルギーを低減することが出来る。
（２）金メッキのまま溶接する場合に比べて大きな溶接エネルギーを加えないため、波長変換結晶３およびレンズ５，７が高温になったり、スパッタの飛散で汚染されることがなく、品質低下を抑制することが出来る。
（３）非メッキ部以外は金メッキされているため、腐食防止効果の低減もほとんど無い。
【００２５】
−実施例２−
レンズホルダ４，６をステンレス製とし且つ金メッキしない構成としてもよい。
この場合、レンズホルダ４，６の外周面４ａ，６ａが非メッキになるので、非メッキ部をわざわざ形成する必要がなくなる。
【産業上の利用可能性】
【００２６】
本発明の光学装置は、例えばファイバカップリングレーザのバタフライパッケージや光通信モジュールなどに利用できる。
【符号の説明】
【００２７】
１              基台
２              波長変換結晶ホルダ
３              波長変換結晶
４，６          レンズホルダ
５，７          レンズ
１００          波長変換装置
Ｅ〜Ｐ          溶接部
１ｅ〜１ｐ      非メッキ部
２ｅ〜２ｈ      非メッキ部
４ｉ〜４ｋ      非メッキ部
６ｍ〜６ｐ      非メッキ部
【図１】
2011138055.tif 000003
【図２】
2011138055.tif 000004
【図３】
2011138055.tif 000005
【図４】
2011138055.tif 000006
【図５】
2011138055.tif 000007
【図６】
2011138055.tif 000008
【図７】
2011138055.tif 000009
【図８】
2011138055.tif 000010
【図９】
2011138055.tif 000011
【図１０】
2011138055.tif 000012